(57)【要約】１または複数の傾斜ライザー・ブロックを含み、踏み台を容易に上昇、傾斜させて足踏み運動その他の運動を傾斜した踏み台上で容易に行うことを可能にする調節可能運動装置を提供する。  各傾斜ライザー・ブロックは、踏み台の底部と嵌合係合可能であり、踏み台を上昇、傾斜させることができる。傾斜ライザー・ブロックは、踏み台の底部と嵌合係合可能な上面と、底面と、前部および後部を有し、底面と上面の間に伸びる中央部とを含み、中央部は前部から後部へ厚さが増加する。上面は傾斜して伸びる。【選択図】図１
2009536547.tif 000002
【特許請求の範囲】
【請求項１】
実質的に平坦な上面と底部とを有する踏み台と、
前記踏み台を支持面の上方に上昇させ前記支持面に対して前記踏み台を傾斜させるために、前記踏み台の前記底部と嵌合係合可能である少なくとも１個の傾斜ライザー・ブロックとを有する調節可能な運動装置。
【請求項２】
前記傾斜ライザー・ブロックは、傾斜して伸びる上面と底面とを含み、
前記傾斜ライザー・ブロックの前記上面は、前記踏み台の前記底部と嵌合係合可能である、請求項１に記載の調節可能な運動装置。
【請求項３】
前記踏み台の前記底部は、凹所を形成し、
前記傾斜ライザー・ブロックは、突出部と前記突出部の周囲に配置されたフランジとを含み、
前記突出部およびフランジは、前記上面および前記底面を形成し、
前記突出部は、前記傾斜ライザー・ブロックを前記踏み台に嵌合係合させるように前記踏み台の前記凹所内に受容可能である、請求項２に記載の調節可能な運動装置。
【請求項４】
前記踏み台の前記底部は更に、前記凹所の周囲に配置された複数のスロットを形成し、
前記傾斜ライザー・ブロックは、前記踏み台と前記傾斜ライザー・ブロックとを嵌合係合させるように前記スロットにより受容可能である複数のくぼみを傾斜させる、請求項３に記載の調節可能な運動装置。
【請求項５】
前記突出部は、孔を形成する、請求項３に記載の調節可能な運動装置。
【請求項６】
前記踏み台は、一対の端部を含み、
少なくとも２個の前記傾斜ライザー・ブロックが含まれ、
一方の前記傾斜ライザー・ブロックは、一方の前記端部に隣接して前記踏み台と嵌合係合可能であり、
他方の前記傾斜ライザー・ブロックは、他方の前記端部に隣接して前記踏み台と嵌合係合可能である、請求項２に記載の調節可能な運動装置。
【請求項７】
前記踏み台は、一定の幅および一定の長さを有し、
前記傾斜ライザー・ブロックは、前記支持面に対して前記踏み台を傾斜させるように、選択的に、前記踏み台の前記幅、又は、前記踏み台の前記長さに沿って配置される、請求項２に記載の調節可能な運動装置。
【請求項８】
前記傾斜ライザー・ブロックの上面は、選択的に、（ａ）前記踏み台の前記幅に沿って前記支持面に対して踏み台を傾斜させるように前記傾斜ライザー・ブロックの第一の位置において、又は、（ｂ）前記踏み台の前記長さに沿って前記踏み台を傾斜させるように前記傾斜ライザー・ブロックの第二の位置において、前記踏み台の前記底部と嵌合係合可能である、請求項７に記載の調節可能な運動装置。
【請求項９】
前記踏み台の前記底部は、凹所を形成し、
前記傾斜ライザー・ブロックは、突出部および前記突出部の周囲に配置されたフランジを含み、
前記突出部およびフランジは前記上面および前記底面を形成し、
前記突出部は、前記傾斜ライザー・ブロックを前記踏み台に嵌合係合させるように、前記傾斜ライザー・ブロックの前記第一および第二の位置において、前記踏み台の前記凹所内に受容可能である、請求項８に記載の調節可能な運動装置。
【請求項１０】
前記踏み台の前記底部は更に、前記凹所の周囲に配置された複数のスロットを形成し、
前記傾斜ライザー・ブロックは更に、前記フランジの周囲に配置された複数のくぼみを傾斜させ、
前記くぼみの一部は、前記傾斜ライザー・ブロックの前記第一の位置において、前記傾斜ライザー・ブロックを前記踏み台に嵌合係合させるように前記スロットにより受容可能であり、
前記くぼみの一部は、前記傾斜ライザー・ブロックの前記第二の位置において、前記傾斜ライザー・ブロックを前記踏み台に嵌合係合させるように前記スロットにより受容可能である、請求項９に記載の調節可能な運動装置。
【請求項１１】
前記踏み台は、一対の端部を含み、
少なくとも２個の前記傾斜ライザー・ブロックが含まれ、
１方の前記傾斜ライザー・ブロックは、一方の前記端部に隣接して前記踏み台と嵌合係合可能であり、
他方の前記傾斜ライザー・ブロックは、他方の前記端部に隣接して前記踏み台と嵌合係合可能である、請求項７に記載の調節可能な運動装置。
【請求項１２】
各傾斜ライザー・ブロックの前記上面が、選択的に、（ａ）前記踏み台の前記幅に沿って前記支持面に対して前記踏み台を傾斜させるように前記傾斜ライザー・ブロックの第一の位置において、又は、（ｂ）前記踏み台の前記長さに沿って前記踏み台を傾斜させるように前記傾斜ライザー・ブロックの第二の位置において、前記踏み台の前記底部と嵌合係合可能である、請求項１１に記載の調節可能な運動装置。
【請求項１３】
前記傾斜ライザー・ブロックを前記支持面の上方に上昇させるために、前記傾斜ライザー・ブロックと嵌合係合可能であるライザー・ブロックを更に含む、請求項２に記載の調節可能な運動装置。
【請求項１４】
前記ライザー・ブロックは、選択的に、（ａ）前記傾斜ライザー・ブロックを前記支持面の上方に上昇させるように前記傾斜ライザー・ブロックと嵌合係合可能であるか、又は、（ｂ）前記踏み台を前記支持面の上方に上昇させて前記踏み台の前記上面が前記支持面に対し平行となるように前記踏み台の前記底部と嵌合係合可能である、請求項１３に記載の調節可能な運動装置。
【請求項１５】
前記踏み台は、一対の端部を含み、
少なくとも２個の傾斜ライザー・ブロックと少なくとも２個のライザー・ブロックとを含み、
各ライザー・ブロックは、各傾斜ライザー・ブロックを前記支持面の上方に上昇させるように各傾斜ライザー・ブロックと嵌合係合可能であり、
１方の前記傾斜ライザー・ブロックは、一方の前記端部に隣接して前記踏み台と嵌合係合可能であり、
他方の前記傾斜ライザー・ブロックは、他方の前記端部に隣接して踏み台の底部と嵌合係合可能である、請求項１３に記載の調節可能な運動装置。
【請求項１６】
各ライザー・ブロックは、選択的に、（ａ）各傾斜ライザー・ブロックと嵌合係合可能であるか、又は、（ｂ）前記踏み台を前記支持面の上方に上昇させて前記踏み台の前記上面が前記支持面に対し平行となるように前記踏み台と嵌合係合可能である、請求項１５に記載の調節可能な運動装置。
【請求項１７】
各傾斜ライザー・ブロックは、孔を形成し、
各ライザー・ブロックは、突出部と前記突出部の周囲に配置されたフランジを含み、
前記突出部およびフランジは、前記上面および前記底面を形成し、
各ライザー・ブロックの前記突出部は、各傾斜ライザー・ブロックに嵌合係合するように各傾斜ライザー・ブロックの前記孔内に受容可能である、請求項１６に記載の調節可能な運動装置。
【請求項１８】
各傾斜ライザー・ブロックの前記底面は、前記孔の周囲に配置された複数のスロットを形成し、
各ライザー・ブロックは、各ライザー・ブロックを各傾斜ライザー・ブロックに嵌合係合させるように前記スロットにより受容可能な複数のくぼみを更に傾斜させる、請求項１７に記載の調節可能な運動装置。
【請求項１９】
前記踏み台は、一定の長さおよび一定の幅を有し、
前記傾斜ライザー・ブロックは、選択的に、前記踏み台の前記長さ又は前記踏み台の前記幅に沿って前記踏み台を傾斜させるように配置される、請求項１５に記載の調節可能な運動装置。
【請求項２０】
上面および底部を有する踏み台と、
前記踏み台を支持面の上方に上昇させ前記支持面に対して前記踏み台の前記上面を傾斜させるために前記踏み台の前記底部と嵌合係合可能である少なくとも１個の傾斜ライザー・ブロックと、
選択的に、（ａ）前記支持面の上方に前記傾斜ライザー・ブロックを上昇させるために前記傾斜ライザー・ブロックと嵌合係合可能であるか、又は、（ｂ）前記上面が前記支持面に対し平行となるように前記支持面の上方に前記踏み台を上昇させるために前記踏み台と嵌合係合可能である、少なくとも１個のライザー・ブロックとを有する調節可能な運動装置。
【請求項２１】
前記踏み台は、一対の端部を含み、
少なくとも２個の傾斜ライザー・ブロックと複数のライザー・ブロックが含まれ、
一方の前記傾斜ライザー・ブロックは、一方の前記端部に隣接して前記踏み台と嵌合係合可能であり、
他方の前記傾斜ライザー・ブロックは、他方の前記端部に隣接して前記踏み台と嵌合係合可能であり、
各ライザー・ブロックは、選択的に、（ａ）各傾斜ライザー・ブロックを前記支持面の上方に上昇させるために各傾斜ライザー・ブロックと嵌合号係合可能であるか、又は、（ｂ）前記支持面に対し上面が平行となるように前記踏み台を前記支持面の上方に上昇させるために前記踏み台の各端部に隣接して前記踏み台と嵌合係合可能である、請求項２０に記載の調節可能な運動装置。
【請求項２２】
前記傾斜ライザー・ブロックおよびライザー・ブロックはそれぞれ、上面および底面を有し、
各傾斜ライザー・ブロックの前記上面は、前記踏み台の前記底部と嵌合係合可能であり、
各ライザー・ブロックの前記上面は、選択的に、各傾斜ライザー・ブロックの前記底面、又は、前記踏み台の前記底部と嵌合係合可能である、請求項２１に記載の調節可能な運動装置。
【請求項２３】
前記踏み台の前記底面は、凹所を形成し、
前記傾斜ライザー・ブロックおよびライザー・ブロックはそれぞれ、突出部と前記突出部の周囲に配置されたフランジを含み、
各突出部は、前記踏み台に嵌合係合するように前記踏み台の凹所内に受容可能である、請求項２２に記載の調節可能な運動装置。
【請求項２４】
前記踏み台の前記底部は更に、前記凹所の周囲に配置された複数のスロットを形成し、
前記傾斜ライザー・ブロックおよびライザー・ブロックはそれぞれ、前記踏み台に嵌合係合するように前記スロットにより受容可能な複数のくぼみを更に含む、請求項２３に記載の調節可能な運動装置。
【請求項２５】
前記傾斜ライザー・ブロックはそれぞれ、孔を形成し、
各ライザー・ブロックは突出部を含み、
各ライザー・ブロックの突出部は、選択的に、各傾斜ライザー・ブロックに嵌合係合するように各傾斜ライザー・ブロックの孔によって受容可能であるか、又は、前記踏み台に嵌合係合するように前記踏み台の前記凹所によって受容可能である、請求項２３に記載の調節可能な運動装置。
【請求項２６】
各傾斜ライザー・ブロックの前記底面は更に、前記孔の周囲に配置された複数のスロットを形成し、
前記踏み台の底部は更に、前記凹所の周囲に配置された複数のスロットを形成し、
各ライザー・ブロックは、選択的に、各傾斜ライザー・ブロックに嵌合係合するように各傾斜ライザー・ブロックの前記スロットによって受容可能であるか、又は、前記踏み台に嵌合係合するように前記踏み台のスロットによって受容可能である、複数のくぼみを更に含む、請求項２５に記載の調節可能な運動装置。
【請求項２７】
前記踏み台は、一定の幅および一定の長さを有し、
前記傾斜ライザー・ブロックは、選択的に、前記踏み台の前記幅、又は、前記踏み台の前記長さに沿って、前記踏み台を傾斜させるように配置される、請求項２０に記載の調節可能な運動装置。
【請求項２８】
前記傾斜ライザー・ブロックは、傾斜して伸びる上面と底面とを含み、
前記傾斜ライザー・ブロックの前記上面は、選択的に、前記踏み台の前記幅に沿って前記踏み台を傾斜させるように前記傾斜ライザー・ブロックの第一の位置において前記踏み台の前記底部と嵌合係合可能であるか、又は、前記踏み台の前記長さに沿って前記踏み台を傾斜させるように前記傾斜ライザー・ブロックの第二の位置において前記踏み台の前記底部と嵌合係合可能である、請求項２７に記載の調節可能な運動装置。
【請求項２９】
実質的に平坦な上面と底部とを有し、水平な支持面上に配置されるとき前記水平な支持面に対して平行に伸びるように配置される踏み台と、
前記水平な支持面の上方に踏み台を上昇させ安定に支持し、前記水平な支持面に対して前記踏み台を傾斜させるために、前記踏み台の前記底部と嵌合係合可能である少なくとも一つの連結面を備える少なくとも１個の傾斜ライザー・ブロックとを含み、
前記傾斜ライザー・ブロックは、一対の側面と一方の側面から他方の側面へ傾斜して伸びる上面と底面とを有し、
前記傾斜ライザー・ブロックの前記上面は、前記踏み台の前記底部と嵌合係合可能であり、
前記他方の側面におけるよりも前記一方の側面において前記底面により近接する前記上面の傾斜は、前記上面が前記踏み台と嵌合係合したとき、前記踏み台の傾斜と実質的に同一であり、
前記踏み台が少なくとも１個のライザー・ブロックによって上昇させられ安定に支持されたとき、エアロビクス足踏み運動を行うように配置される調節可能なエアロビクス運動装置。
【請求項３０】
実質的に平坦な上面と、一定の幅と、一定の長さと、踏み台と支持面が実質的に平行となるように前記支持面の上に静置されるように適合した底部とを有する前記踏み台と、
前記踏み台を前記支持面の上方に上昇させ前記踏み台の前記幅を前記支持面に対して傾斜させるために前記踏み台の前記底部と嵌合係合可能である少なくとも一つの連結面を備えた傾斜ライザー・ブロックとを含み、
前記傾斜ライザー・ブロックは、一定の高さと第一の側面と第二の側面と前記第一の側面から前記第二の側面へ傾斜して伸びる上面と底面とを有し、
前記高さは、前記第一の側面から前記第二の側面へ増加して前記傾斜を形成し、
前記傾斜ライザー・ブロックの前記上面は、前記踏み台の前記底部と嵌合係合可能であり、
前記上面が前記踏み台と嵌合係合したとき、前記上面の傾斜は前記踏み台の傾斜と実質的に同一であり、
前記踏み台が少なくとも１個のライザー・ブロックにより上昇させられ安定に支持されたとき、エアロビクス足踏み運動を行うように配置される調節可能なエアロビクス運動装置。
【発明の詳細な説明】
【技術分野】
【０００１】
本発明は、エアロビクス足踏み運動その他の形式の運動のための調節可能な運動装置、および運動装置を調節するための装置に関する。
【背景技術】
【０００２】
インディアナ州エヴァンスヴィルのエスカレード・スポーツ(Escalade Sports)より入手可能な「ステップ(The Step)」運動装置は、周知のエアロビクス足踏み構造体であり、当該構造体は、踏み台（ｐｌａｔｆｏｒｍ）と、踏み台の上面が支持面と平行に伸びるように、踏み台を床その他の支持面の上方に上昇させるための多数のライザー・ブロック（ｒｉｓｅｒ  ｂｌｏｃｋ、嵩上げブロック）とを含んでいる。「ステップ」のユーザーは、エアロビクス運動を行うために、上昇した踏み台の水平な上面に繰返し乗り降りする。この上昇した踏み台はまた、他の形式の運動と関連させて利用することもできる。
【０００３】
「ステップ」の踏み台は、ライザー・ブロックを追加するか又は取り去ることによって高さを調節できる。「ステップ」のライザー・ブロックの上面は、踏み台の底面と嵌合係合可能なように形成され、足踏み運動その他の運動目的用のベースに対して平行に伸びる安定で上昇した上面を提供する。ライザー・ブロックの上面はまた、他のライザー・ブロックの底面と選択的に係合可能であり、踏み台を容易に所望の高さに上昇させる。ライザー・ブロックは互いに嵌合係合可能なので、それらはまた保管目的のために容易に積み重ねることができる。
【発明の開示】
【発明が解決しようとする課題】
【０００４】
「ステップ」製品には、数対のライザー・ブロックが踏み台の下に配置され、各対の一方は踏み台の各端部の真下に配置される。このような配置において、各高さ増加調節のためには２個のライザー・ブロックが必要とされる。各高さ増加調節のために１個の付加的ライザー・ブロックが積み重ねられるような場合、各ライザー・ブロックが代わりに踏み台の実質的長さにわたってもよい。足踏み運動装置の具体例は、米国特許第５，３１８，４８９号、第５，１５８，５１２号、第Ｄ３３０，０５７号および第５，６７２，１４４号に開示されており、これらは全て参照することにより本明細書に組み込まれる。
【特許文献１】米国特許第５，３１８，４８９号公報
【特許文献２】米国特許第５，１５８，５１２号公報
【特許文献３】米国特許第Ｄ３３０，０５７号公報
【特許文献４】米国特許第５，６７２，１４４号公報
【課題を解決するための手段】
【０００５】
本発明は、傾斜ライザー・ブロックと、足踏み運動その他の運動を踏み台の傾斜した上面の上で容易に行うことを可能にするように、踏み台を容易に上昇および傾斜させるために１又は複数の傾斜ライザー・ブロックを含む調節可能な運動装置とに関する。傾斜ライザー・ブロックは、踏み台の底面と嵌合係合可能であって、踏み台を上昇および傾斜させる。各傾斜ライザー・ブロックは、傾斜して伸びる、踏み台の底面に嵌合係合するための上面と、底面と、前部および後部を有し、上面と底面の間に伸びる中央部とを含むことができ、前部から後部へ厚さが増加する。
【０００６】
傾斜ライザー・ブロックは、踏み台に対する傾斜ライザー・ブロックの選択的位置において踏み台の底面に嵌合係合できるように配置することができ、この為、踏み台を選択的にその幅又は長さに沿って傾斜させることができる。踏み台がその幅に沿って傾斜させられる場合、当該運動装置は、例えば、ユーザーが踏み台の傾斜した上面に乗り降りするエアロビクス足踏み運動と関連して、又はその他の形式の運動と関連して利用することができる。踏み台がその長さに沿って傾斜させられる場合、当該運動装置は、例えば、ベンチプレスと関連して、または他のウェイトリフティング運動と関連して、又は適切な形式の非エアロビクスまたはエアロビクス運動と関連して利用することができる。
【０００７】
本発明による傾斜ライザー・ブロックは、目標とする種々の筋肉群に対する追加的運動の選択肢を提供するために用いることができる。傾斜ライザー・ブロックは、他の運動装置構成部品と共に利用することができ、例えば、市販されている足踏み製品と共に使用して代替的な調節または位置決め手段を提供し、踏み台を代替的位置に調節または配置させることができる。本発明の一実施例によれば、傾斜ライザー・ブロックは「ステップ」製品を補完し、この為、傾斜ライザーは「ステップ」踏み台と嵌合係合可能となり、また、「ステップ」ライザー・ブロックは代わりに傾斜ライザー・ブロックと嵌合係合可能となり傾斜ライザー・ブロックを上昇調節することができる。この種の組合せは、構成部品の組合せおよび構造に依存して、踏み台を数箇所の選択的な位置に配置させるように使用できる運動装置を提供する。例えば、踏み台は、傾斜ライザー・ブロックを含み、かつ、傾斜ライザー・ブロックを踏み台に対して第一の方位または位置に位置決めすることによって、その幅に沿って上昇、傾斜させることもできる。更に、代わりに、踏み台は、踏み台に対し傾斜ライザー・ブロックを再配置または再位置決めすることにより、その長さに沿って上昇させることができる。この種の配置に伴い、１個または複数の傾斜ライザー・ブロックによって、一方の傾斜ライザー・ブロックを他方の傾斜ライザー・ブロックよりも高く上昇させることができる。また、これらの配置のいずれかに伴い、対応数のライザー・ブロックを傾斜ライザー・ブロックの底面に係合させることによって、踏み台を種々の高さに上昇調節することができる。傾斜ライザー・ブロックは、例えば、他の運動装置構成部品と共に、又はキットとして別個に、又は他の運動装置構成部品用として販売してもよい。
【０００８】
更なる特徴は、現在明らかにされている最良の態様を例示する図面についての、以下の詳細な説明に関する考察によって当業者には明らかとなるであろう。
【０００９】
詳細な説明は特に添付図面を参照する。
【発明を実施するための最良の形態】
【００１０】
本発明は種々の形態の実施例を受容することができ、各実施例は、当該記載が本発明原理の例示であると考えられ、かつ、以下の説明に記載されるか図面に示される構成部品の詳細な構造および配置に本発明を限定することを意図しないという理解を前提にして、図面に示され、本明細書に詳細に記載されている。
【００１１】
図１〜４は、本発明の一実施例による傾斜ライザー・ブロック（ｉｎｃｌｉｎｅｄ  ｒｉｓｅｒ  ｂｌｏｃｋ）１０を示す。図示された傾斜ライザー・ブロック１０は、正方形または長方形のフランジ１２と、長方形の孔１６を形成する正方形または長方形の突出部１４とを含む。フランジ１２および突出部１４は、傾斜ライザー・ブロック１０の上面２２、底面２４および中央部２６を形成する。上面２２は各コーナーにおいて円形の凹所３０を形成する。上面２２は４個の長方形のくぼみ（凹所）３２を含み、くぼみ３２はフランジ１２の各辺に沿って形成される。フランジ１２および突出部１４を含む上面２２は、底面が支持面に静置されたとき、底面２４に対して、かつ床その他の支持面に対して傾斜して伸びる。傾斜の角度は約１７度の範囲内にするか、あるいは他の実施例に従って他の適切な大きさとすることができる。底面２４は、４個の長方形スロット３４が形成（各スロット３４はフランジ１２の底面の各辺に沿って形成）され、かつ各コーナーにおいてゴム止め具等の形態の突起３６を含んでいる。中央部２６は、上面２２と底面２４とを相互連結する。中央部２６の高さ若しくは厚みは、中央部２６の前部３８から中央部２６の後部４０にかけて増加し、上面２２の傾斜を形成する。
【００１２】
傾斜ライザー・ブロック１０は、任意の適当な足踏み運動装置その他の運動装置と共に使用することができる。例えば、図６〜８に示すように、傾斜ライザー・ブロック１０は、図５（ａ）〜（ｃ）に示される「ステップ」製品の１個以上の構成部品と組み合わせることが可能であり、当該構成部品は、踏み台１００と、踏み台１００を床または支持面の上方へ平行に上昇させるための複数のライザー・ブロック１０２とを含む。図示された従来の踏み台１００は、平坦な上面１０４と、底面１０６と、上面の周囲に沿って下方へ延びる支持壁１０８とを含んでいる。支持壁１０８は、一対の対向する側壁１１０と一対の対向する端壁１１２とを含み、踏み台１００の底面１０６に、実質的に踏み台の長さに沿って延びる凹所１１４を形成する。また、支持壁１０８は、対向する側壁１１０上に、各端壁１１２に近接する一対の長方形の凹所１２０を、各端壁１１２上に、長方形の凹所１２２を形成している。また、支持壁１０８は、ゴム止め具等の形態の突起１２４を各コーナーに含む。
【００１３】
図５（ａ）〜（ｃ）に図示された従来の各ライザー・ブロック１０２は、正方形のフランジ１３０と正方形の突出部１３２を含み、突出部１３２は正方形の孔１３４を形成し、フランジ１３０と突出部１３２の両者はライザー・ブロックの上面１４０と底面１４２を形成する。上面１４０は、各コーナーに隣接して円形の凹所１４４を形成する。上面１４０は、４個の長方形のくぼみ１４６を含み、各長方形のくぼみ１４６は、フランジ１３０の頂部各辺に沿って形成される。底面１４２には、４個の長方形のスロット１４８が形成され（各スロット１４８はフランジ１３０の底部各辺に沿って形成され）、各コーナーにおいてゴム止め具等の形態の突起（図示されず）を含んでいる。
【００１４】
例えば、図６に図示された構成では、一対の傾斜ライザー・ブロック１０は踏み台１００と嵌合係合し、踏み台１００をその幅に沿って傾斜させる（即ち、当該傾斜は、踏み台１００の対向する側壁１１０の一方から他方へ伸びる）ので、足踏み運動その他の運動を踏み台１００の傾斜上面１０４上で行うことができる。各傾斜ライザー・ブロック１０は、踏み台１００の対向端に近接する踏み台１００の底部１０６と嵌合係合される。係合する際、各傾斜ライザー・ブロック１０の突出部１４は踏み台１００の凹所１１４により受容され、傾斜ライザー・ブロック１０の各くぼみ３２は、踏み台１００の２個の長方形の凹所１２０と１個の長方形の凹所１２２により受容され、踏み台１００の各突起１２２は傾斜ライザー・ブロック１０の円形の凹所３０によって受容される。図６において、各傾斜ライザー・ブロック１０の中央部２６の前部３８から後部４０に延びる軸は、踏み台１００の長さに対し垂直に伸びる。各傾斜ライザー・ブロック１０のフランジ１２の底部は、床その他の支持面上に静置される。
【００１５】
代わりに、図７に図示されるように、当該運動装置を配置することができる。この配置において、踏み台１００は、各ライザー・ブロック１０２を各傾斜ライザー・ブロック１０の下に配置し、各ライザー・ブロック１０２を各傾斜ライザー・ブロック１０と嵌合係合させることによって、更に持ち上げられる。ここで、（突出部１４、凹所３０およびくぼみ３２を含む）傾斜ライザー・ブロック１０の上面２２の構造は、ライザー・ブロック１０２の上面１４０の構造に実質的に類似する（但し、傾斜ライザー・ブロック１０の上面２２の構造が傾斜ライザー・ブロック１０の底面２４に対して傾斜して伸びる点を除く）。また、（スロット３４および突起３６を含む）傾斜ライザー・ブロック１０の底面２４の構造は、ライザー・ブロック１０２の底面１４２の構造と実質的に類似する。ライザー・ブロック１０２の上面１４０が傾斜ライザー・ブロック１０の底面２４と嵌合係合する際、ライザー・ブロック１０２のくぼみ１４６は傾斜ライザー・ブロック１０のスロット３４によって受容され、ライザー・ブロック１０２の突出部１３２は傾斜ライザー・ブロック１０の孔１６によって受容され、傾斜ライザー・ブロック１０の突起３６は傾斜ライザー・ブロック１０の円形の凹所１４４によって受容される。ライザー・ブロック１０２のフランジの底部１３０は、床その他の支持面上に静置される。
【００１６】
代わりに、図８に図示されるように、当該運動装置を配置することができる。この配置において、一対の傾斜ライザー・ブロック１０は、踏み台１００と嵌合係合して踏み台１００をその長さに沿って傾斜させ（即ち、当該傾斜は踏み台１００の対向する端部壁１１２の一方から他方へ伸びる）、３個のライザー・ブロック１０２が１方の傾斜ライザー・ブロック１０の下に置かれる。各傾斜ライザー・ブロック１０は、踏み台１００の対向する端部に近接する踏み台１００の底部１０６と係合する。各底部ライザー・ブロック１０２は床その他の支持面上に静置される。図８において、３個のライザー１０２が１方の傾斜ライザー・ブロック１０２の下に置かれ、その結果、一方が他方の傾斜ライザー・ブロック１０より高くなり、安定した傾斜を提供する。図８の配置において、踏み台１００の一方側の下に置かれるライザー・ブロック１０２の数は、各傾斜ライザー・ブロック１０の上面２２の傾斜角度によって決定すればよい。もし、傾斜角度が１７度で、ライザー・ブロック１０２が他方の傾斜ライザー・ブロック１０の下に置かれていなければ、例えば、４個の傾斜ライザーが他方の傾斜ライザー・ブロック１０の下に置かれるかもしれない。図６および７の配置と同様に、図８の配置において、踏み台１００の高さは、ライザー・ブロック１０２を加えるか、または取り除くことによって容易に調節可能である。
【００１７】
図８の配置において、各傾斜ライザー・ブロック１０は、図６および７におけるのと同じ方法で（但し、各傾斜ライザー・ブロック１０は、踏み台１００の傾斜がその踏み台１００の長さと平行に伸びるように方向付けられる点を除く）、踏み台１００と係合される。言い換えると、図８においては、各傾斜ライザー・ブロック１０の中央部２６の前部３８から後部４０へ伸びる軸は、踏み台１００の長さと平行に伸びる。これに対し、図６および７においては、当該軸は踏み台１００の長さと垂直に伸びる。従って、図６および７に対比して、図８における踏み台１００に対する傾斜ライザー・ブロック１０の方向付けの差は９０度である。対称的構造を有するので、ライザー・ブロック１０２は、傾斜ライザー・ブロック１０に対して、図６、７および８におけるのと異なった位置に配置してもよいし、しなくてもよい。
【００１８】
傾斜ライザー・ブロック１０を、他の足踏み構造体構成部品、例えば、図５（ａ）〜（ｃ）の足踏み構造体等と組み合わせれば、運動愛好者に代替装置を提供することができる。例えば、図６の配置において、当該運動装置は、持ち上げられ且つ傾斜させた面上で適する運動エアロビクス足踏み運動または他の形式の運動に利用することができる。図７の代替的配置において、ライザー・ブロックを加えて、傾斜した踏み台１００を増加させた高さに位置決めすることができ、運動愛好者に更なる代替物を提供できる。図８の配置において、当該運動装置は、その長さに沿って傾斜した踏み台１００上で行うことができるベンチプレスまたは他の任意の運動と関連させて利用することができる。図６、７および８の配置において、踏み台１００の高さは、ライザー・ブロック１０２を加えるか、または取り除くことによって容易に調節可能である。
【００１９】
本発明による傾斜ライザー・ブロックは、他の任意の適切な構造を有し他の任意の適切な係合構造を含んでいてもよく、あるいは、他の構成部品と他の任意の適切な方法で嵌合係合してもよい。同様に、踏み台１００および（包含される場合の）ライザー１０２は、他の任意の適切な構造を有し他の任意の係合構造をも含んでいてもよく、あるいは、１または複数の傾斜ライザー１０と他の任意の適切な方法で嵌合係合してもよい。加えて、傾斜ライザー・ブロック１０および踏み台１００は、１または２以上の傾斜ライザー・ブロック１０が踏み台１００を持ち上げて傾斜させるように使用されるように、任意の適当な方法で構成されてもよく、（包含される場合）１または複数のライザー・ブロックは、任意の補完的方法においても構成することができる。踏み台１００の平坦な上面１０４は、任意の形式の運動を補完するか容易にするように、その上に他の任意の適切な構造または配置を含んでいてもよく、あるいはそれに固定される任意の適切な構造を含んでいてもよい。
【００２０】
本発明の好ましい実施例が示され説明されているが、本発明の精神および範囲から逸脱することなく、当業者によって様々な変形および均等物が考案され得ることが想定されている。本発明は、請求の範囲に記載の特徴、要素、工程又はこれらの組合せの中の１または複数に関連する。
【図面の簡単な説明】
【００２１】
【図１】本発明の一実施例による傾斜ライザー・ブロックの（上面）斜視図である。
【図２】図１の傾斜ライザー・ブロックの側面図である。
【図３】図１の傾斜ライザー・ブロックの上面図である。
【図４】図１の傾斜ライザー・ブロックの底部図である。
【図５ａ】図５（ａ）は従来の足踏み構造体の斜視図である。
【図５ｂ】図５（ｂ）は従来の足踏み構造体の１のライザー・ブロックの（上面）斜視図である。
【図５ｃ】図５（ｃ）は従来の足踏み構造体の踏み台を示す（底面）斜視図である。
【図６】図１の一対の傾斜ライザー・ブロックと、図５（ａ）の足踏み構造体の踏み台との組合せを示す。
【図７】図１の一対の傾斜ライザー・ブロックと、図５（ａ）の足踏み構造体の構成部品との組合せを示し、傾斜ライザー・ブロックとライザー・ブロックとの組合せによりその幅に沿って傾斜した踏み台を示す。
【図８】図１の一対の傾斜ライザー・ブロックと、図５（ａ）の足踏み構造体の構成部品との組合せを示し、傾斜ライザー・ブロックとライザー・ブロックの組合せにより、その長さに沿って傾斜した踏み台を示す。
【符号の説明】
【００２２】
１０  傾斜ライザー・ブロック
１２  フランジ
１４  突出部
１６  孔
２２  上面
２４  底面
２６  中央部
３０  円形の凹所
３２  くぼみ
３４  スロット
３８  前部
４０  後部
【図１】
2009536547.tif 000003
【図２】
2009536547.tif 000004
【図３】
2009536547.tif 000005
【図４】
2009536547.tif 000006
【図５ａ】
2009536547.tif 000007
【図５ｂ】
2009536547.tif 000008
【図５ｃ】
2009536547.tif 000009
【図６】
2009536547.tif 000010
【図７】
2009536547.tif 000011
【図８】
2009536547.tif 000012
【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
水平な支持面に平行に伸びるように配置され、実質的に平坦な上面と底部とを有する踏み台と、
前記踏み台を前記水平な支持面の上方に上昇させ前記水平な支持面に対して前記踏み台を傾斜させるために、前記踏み台の前記底部と嵌合係合可能である少なくとも１の連結面を備える少なくとも１つの傾斜ライザー・ブロックとを有し、
前記傾斜ライザー・ブロックは、一対の側面と一方の側面から他方の側面へ傾斜して伸びる上面と底面とを含み、
前記傾斜ライザー・ブロックの前記上面は、前記踏み台の前記底部と嵌合係合可能であり、
前記上面は、前記他方の側面におけるよりも前記一方の側面において前記底面により近接し、前記上面の傾斜は、前記上面が前記踏み台と嵌合係合したとき、前記踏み台の傾斜と実質的に同一であり、
前記踏み台が少なくとも１つのライザー・ブロックによって安定して支持されたとき、エアロビクス足踏み運動を行うように配置される調節可能な運動装置。
【請求項２】
前記踏み台の前記底部は、凹所を形成し、
前記傾斜ライザー・ブロックは、突出部と前記突出部の周囲に配置されたフランジとを含み、
前記突出部およびフランジは、前記上面および前記底面を形成し、
前記突出部は、前記傾斜ライザー・ブロックを前記踏み台に嵌合係合させるように前記踏み台の前記凹所内に受容可能である、請求項１に記載の調節可能な運動装置。
【請求項３】
前記踏み台の前記底部は更に、前記凹所の周囲に配置された複数のスロットを形成し、
前記傾斜ライザー・ブロックは、前記踏み台と前記傾斜ライザー・ブロックとを嵌合係合させるように前記スロットにより受容可能である複数のくぼみを含む、請求項２に記載の調節可能な運動装置。
【請求項４】
前記突出部は、孔を形成する、請求項２に記載の調節可能な運動装置。
【請求項５】
前記踏み台は、一対の端部を含み、
少なくとも２個の前記傾斜ライザー・ブロックが含まれ、
一方の前記傾斜ライザー・ブロックは、一方の前記端部に隣接して前記踏み台と嵌合係合可能であり、
他方の前記傾斜ライザー・ブロックは、他方の前記端部に隣接して前記踏み台と嵌合係合可能である、請求項１に記載の調節可能な運動装置。
【請求項６】
前記踏み台は、一定の幅および一定の長さを有し、
前記傾斜ライザー・ブロックは、選択的に、前記踏み台の前記幅、又は、前記踏み台の前記長さに沿って、前記支持面に対して前記踏み台を傾斜させるように配置される、請求項１に記載の調節可能な運動装置。
【請求項７】
前記踏み台は、一対の端部を含み、
少なくとも２個の前記傾斜ライザー・ブロックが含まれ、
一方の前記傾斜ライザー・ブロックは、一方の前記端部に隣接して前記踏み台と嵌合係合可能であり、
他方の前記傾斜ライザー・ブロックは、他方の前記端部に隣接して前記踏み台と嵌合係合可能である、請求項６に記載の調節可能な運動装置。
【請求項８】
各傾斜ライザー・ブロックの前記上面が、選択的に、（ａ）前記踏み台の前記幅に沿って前記支持面に対して前記踏み台を傾斜させるように前記傾斜ライザー・ブロックの第一の位置において、又は、（ｂ）前記踏み台の前記長さに沿って前記踏み台を傾斜させるように前記傾斜ライザー・ブロックの第二の位置において、前記踏み台の前記底部と嵌合係合可能である、請求項７に記載の調節可能な運動装置。
【請求項９】
前記傾斜ライザー・ブロックを前記支持面の上方に上昇させるために、前記傾斜ライザー・ブロックと嵌合係合可能であるライザー・ブロックを更に含む、請求項１に記載の調節可能な運動装置。
【請求項１０】
前記ライザー・ブロックは、選択的に、（ａ）前記傾斜ライザー・ブロックを前記水平な支持面の上方に上昇させるように前記傾斜ライザー・ブロックと嵌合係合可能であるか、又は、（ｂ）前記踏み台を前記水平な支持面の上方に上昇させて前記踏み台の前記上面が前記水平な支持面に対し平行となるように前記踏み台の前記底部と嵌合係合可能である、請求項９に記載の調節可能な運動装置。
【請求項１１】
実質的に平坦な上面と、一定の幅と、一定の長さと、踏み台と支持面が実質的に平行となるように前記支持面の上に静置されるように適合した底部とを有する前記踏み台と、
前記踏み台を前記支持面の上方に上昇させ前記踏み台の前記幅を前記支持面に対して傾斜させるために前記踏み台の前記底部と嵌合係合可能である少なくとも一つの連結面を備えた傾斜ライザー・ブロックとを含み、
前記傾斜ライザー・ブロックは、一定の高さと第一の側面と第二の側面と前記第一の側面から前記第二の側面へ傾斜して伸びる上面と底面とを有し、
前記高さは、前記第一の側面から前記第二の側面へ増加して前記傾斜を形成し、
前記傾斜ライザー・ブロックの前記上面は、前記踏み台の前記底部と嵌合係合可能であり、
前記上面が前記踏み台と嵌合係合したとき、前記上面の傾斜は前記踏み台の傾斜と実質的に同一であり、
前記踏み台が少なくとも１つのライザー・ブロックにより安定して支持されたとき、エアロビクス足踏み運動を行うように配置される調節可能な運動装置。
【請求項１２】
（ａ）実質的に平坦な上面と、凹所を形成する底面と、一定の幅と、一定の長さとを有する踏み台と、（ｂ）前記踏み台が支持面の上方に上昇させられて前記上面が前記支持面と平行になる第一の位置において前記踏み台を位置決めするように前記踏み台の底部と嵌合係合可能な上面を有する一対のライザー・ブロックとを有する運動装置と組み合わせて、
前記運動装置を、前記第一の位置と、前記踏み台が前記支持面の上方に上昇させられて前記上面が前記踏み台の前記幅に沿って前記支持面に対して傾斜する第二の位置と、前記上面が前記踏み台の前記長さに沿って前記支持面に対して傾斜する第三の位置との間で選択的に調節する手段であって、
一対の傾斜ライザー・ブロックを含み、
各傾斜ライザー・ブロックは、
（ａ）上面が前記踏み台を安定して支持するように、前記踏み台の前記底部によって形成される前記凹所と嵌合係合可能で連結面を形成する少なくとも１の突出部を備えて傾斜して伸びる前記上面と、
（ｂ）前記ライザー・ブロックの上面と嵌合係合可能な底面と、
（ｃ）前記傾斜ライザー・ブロックの前記上面と前記底面との間に伸び、前部と後部とを有し、前記前部から前記後部へ厚さが増加し、前記前部から前記後部へ伸びる軸を形成する中央部とを有し、
（ｄ）前記上面は、前記踏み台の前記上面が前記支持面に対して傾斜するように、前記底面に対して傾斜して伸びる選択的な調節手段。
【請求項１３】
前記各傾斜ライザー・ブロックは、前記踏み台に対して前記傾斜ライザー・ブロックの２つの選択的配置において前記踏み台の前記底部と嵌合係合可能であり、
各傾斜ライザー・ブロックの前記軸は、前記運動装置が前記第二の位置にあるとき前記踏み台の前記長さに対して垂直に伸び、
各傾斜ライザー・ブロックの前記軸は、前記運動装置が前記第三の位置にあるとき前記踏み台の前記長さに対して平行に伸びる、請求項１２に記載の選択的調節手段。
【請求項１４】
各傾斜ライザー・ブロックは更に、前記運動装置が前記第二および第三の位置にあるとき前記踏み台に嵌合係合するように、前記踏み台により形成される複数のスロットにより受容可能な複数のくぼみを含む、請求項１２に記載の選択的調節手段。
【請求項１５】
（ａ）実質的に平坦な上面と、凹所を形成する底面とを有する踏み台と、（ｂ）前記踏み台の底部と嵌合係合可能な上面を有し、前記上面が支持面の上方にあるように前記支持面の上方に前記踏み台を上昇させる複数のライザー・ブロックとを含む運動装置を選択的に調節する手段であって、
前記調節手段は、前記踏み台を上昇させ、選択的な配置において前記支持面に対して前記踏み台の前記上面を傾斜させるために、前記踏み台と嵌合係合可能な少なくとも１つの傾斜ライザー・ブロックを含み、
前記傾斜ライザー・ブロックは、
（ａ）上面が前記踏み台を安定して支持するように、前記踏み台の前記底部によって形成される前記凹所と嵌合係合可能で連結面を形成する少なくとも１の突出部を備える前記上面と、
（ｂ）前記ライザー・ブロックの上面と嵌合係合可能な底面と、
（ｃ）前記傾斜ライザー・ブロックの前記上面と前記底面との間に伸び、前部と後部とを有し、前記前部から前記後部へ厚さが増加する中央部とを有し、
（ｄ）前記上面は、前記踏み台の前記上面が前記支持面に対して傾斜するように、前記底面に対して傾斜して伸びる調節手段。
【請求項１６】
前記傾斜ライザー・ブロックは、前記傾斜ライザー・ブロックの２つの選択的配置において前記踏み台の前記底部と嵌合係合可能であるように配置される、請求項１５に記載の調節手段。
【請求項１７】
前記傾斜ライザー・ブロックは、前記踏み台の前記幅又は前記踏み台の前記長さに沿って前記踏み台を選択的に傾斜させるように配置される、請求項１５に記載の調節手段。
【請求項１８】
２つの前記傾斜ライザー・ブロックが含まれ、
前記踏み台が前記踏み台の前記長さに沿って傾斜させられるとき、前記ライザー・ブロックの少なくとも１つによって、一方の前記傾斜ライザー・ブロックが他方の前記傾斜ライザー・ブロックの上方に上昇させられる、請求項１７に記載の調節手段。
【請求項１９】
前記上面が前記踏み台の前記長さに沿って前記支持面に対して傾斜する第三の位置に前記運動装置があるとき、一方の前記傾斜ライザー・ブロックが、前記ライザー・ブロックの少なくとも１つと係合し、当該ライザー・ブロックにより上昇させられる、請求項１８に記載の調節手段。
【国際調査報告】
2009536547.tif 000013